(57)【要約】【課題】内部の状態を容易に確認可能な電源装置を提供する。【解決手段】電源装置１００は、入力部１０と、入力部１０を通して入力された電圧から電源電圧を発生させる電源部２０と、出力部３０と、入力端子１４とフューズ１１との間に設けられて、入力端子１４に電圧が入力されることにより第１の出力を発生させるＬＥＤ１２と、フューズ１１と電源部２０との間に設けられて、フューズ１１を通して電源部２０に電圧が入力されることにより第２の出力を発生させるＬＥＤ１３と、出力端子３２に接続されて、電源部２０からの出力により第３の出力を発生させるＬＥＤ３１とを備える。【選択図】図１
2019103299.tif 000002
【特許請求の範囲】
【請求項１】
電源装置であって、
入力端子と、前記入力端子に接続された保護回路とを含む入力部と、
前記入力部を通して入力された電圧から電源電圧を発生させる電源部と、
前記電源電圧を出力する出力端子を含む出力部と、
前記入力端子と前記保護回路との間に設けられて、前記入力端子に電圧が入力されることにより第１の出力を発生させる第１の出力回路と、
前記保護回路と前記電源部との間に設けられて、前記保護回路を通して前記電源部に電圧が入力されることにより第２の出力を発生させる第２の出力回路と、
前記出力端子に接続されて、前記電源部からの出力により第３の出力を発生させる第３の出力回路とを備える、電源装置。
【請求項２】
前記第１の出力回路、前記第２の出力回路および前記第３の出力回路は、発光回路であり、前記第１の出力、前記第２の出力、および前記第３の出力は、光出力である、請求項１に記載の電源装置。
【請求項３】
前記電源部は、
一次巻線、補助巻線および二次巻線を有するトランスと、
前記トランスの前記一次巻線に接続されるスイッチング素子と、
前記トランスの前記補助巻線に生じる電圧を受けて前記スイッチング素子を駆動するドライブ制御回路とを含み、
前記電源装置は、前記補助巻線に生じる前記電圧が正常か否かを示す第４の信号を出力する第４の出力回路をさらに備える、請求項１または請求項２に記載の電源装置。
【請求項４】
前記第４の出力回路は、発光回路であり、前記第４の出力は、光出力である、請求項３に記載の電源装置。
【請求項５】
少なくとも前記第１の出力、前記第２の出力、および前記第３の出力に基づいて、前記電源装置の状態に関する情報を表示する表示回路をさらに備える、請求項１に記載の電源装置。
【発明の詳細な説明】
【技術分野】
【０００１】
本発明は、電源装置に関する。
【背景技術】
【０００２】
たとえば特開２００６−３４９６２６号公報（特許文献１）は、供給される電源電圧が低下するという異常事態を簡単に発見することができる構成を備えた実装回路を開示する。実装回路は、電源電圧の状態を監視するためのＬＥＤ素子と、その点灯制御回路とを備える。電源電圧が所定の電圧以上の場合には、点灯制御回路は、ＬＥＤ素子を点灯させる。電源電圧が所定の電圧以上でない場合には、点灯制御回路は、ＬＥＤ素子を消灯させる。
【先行技術文献】
【特許文献】
【０００３】
【特許文献１】特開２００６−３４９６２６号公報
【発明の概要】
【発明が解決しようとする課題】
【０００４】
上記の構成によれば、電源装置の出力の状態を把握することは可能である。しかし、電源装置の回路に異常が発生した場合には、その異常の原因を特定するために、テスター等の測定器を用いて回路を検査する必要がある。
【０００５】
本発明の目的は、内部の状態を容易に確認可能な電源装置を提供することである。
【課題を解決するための手段】
【０００６】
本開示の一例によれば、電源装置は、入力端子と、入力端子に接続された保護回路とを含む入力部と、入力部を通して入力された電圧から電源電圧を発生させる電源部と、電源電圧を出力する出力端子を含む出力部と、入力端子と保護回路との間に設けられて、入力端子に電圧が入力されることにより第１の出力を発生させる第１の出力回路と、保護回路と電源部との間に設けられて、保護回路を通して電源部に電圧が入力されることにより第２の出力を発生させる第２の出力回路と、出力端子に接続されて、電源部からの出力により第３の出力を発生させる第３の出力回路とを備える。
【０００７】
上記構成によれば、内部の状態を容易に確認可能な電源装置を提供することができる。第１の出力回路からの第１の出力により、電源装置の入力に関する異常を確認することができる。第２の出力回路からの第２の出力により、保護回路が正常か否かを確認することができる。第３の出力回路からの第３の出力により、電源部が正常か否かを確認することができる。なお、「出力」の形態は特に限定されず、たとえば電気出力あるいは光出力でもよい。
【０００８】
上記の電源装置において、第１の出力回路、第２の出力回路および第３の出力回路は、発光回路であり、第１の出力、第２の出力、および第３の出力は、光出力である。
【０００９】
上記構成によれば、電源装置の状態を電源装置の外部に知らせることができる。発光回路の種類は特に限定されない。
【００１０】
上記の電源装置において、電源部は、一次巻線、補助巻線および二次巻線を有するトランスと、トランスの一次巻線に接続されるスイッチング素子と、トランスの補助巻線に生じる電圧を受けてスイッチング素子を駆動するドライブ制御回路とを含み、電源装置は、補助巻線に生じる電圧が正常か否かを示す第４の信号を出力する第４の出力回路をさらに備える。
【００１１】
上記構成によれば、電源部の動作状態を容易に確認可能な電源装置を提供することができる。たとえば上記の電源装置を複数台用いて負荷を駆動する場合において、それら複数の電源装置の間で出力電圧に差異がなければ、すべての電源装置により負荷を駆動することができる。一方、複数の電源装置の間で出力電圧に差異がある場合には、たとえば出力電圧の低い電源装置が動作を停止する。すなわち電源部は動作を停止している。したがって、動作中の電源装置と、停止中の電源装置とを容易に確認することができる。
【００１２】
上記の電源装置において、第４の出力回路は、発光回路であり、第４の出力は、光出力である。
【００１３】
上記構成によれば、電源装置の状態を電源装置の外部に知らせることができる。
上記電源装置は、少なくとも第１の出力、第２の出力、および第３の出力に基づいて、電源装置の状態に関する情報を表示する表示回路をさらに備える。
【００１４】
上記構成によれば、表示回路に表示される情報（たとえばエラーコード）により、電源装置の状態を把握することができる。表示回路の種類は限定されるものではない。
【発明の効果】
【００１５】
本開示の一例によれば、内部の状態を容易に確認可能な電源装置を提供することができる。
【図面の簡単な説明】
【００１６】
【図１】本実施形態に係る電源装置１００の概略的な構成を示した回路図である。
【図２】図１に示した電源装置１００の一構成例を示したブロック図である。
【図３】一実施形態に係る、ＬＥＤの点灯パターンを示した図である。
【図４】入力１の点灯の条件が閾値を有する場合の、ＬＥＤの点灯パターンを示した図である。
【図５】入力２の点灯の条件が閾値を有する場合の、ＬＥＤの点灯パターンを示した図である。
【図６】本実施の形態に係る電源装置１００の別の構成例を示した図である。
【図７】本実施の形態に係る電源装置１００のさらに別の構成例を示した回路図である。
【図８】図７に示した電源装置１００の一構成例を示したブロック図である。
【図９】複数の電源装置１００による並列運転を模式的に示した模式図である。
【図１０】複数の電源装置１００による並列運転において、出力電圧に差異が生じた状態を示した模式図である。
【図１１】複数の電源装置１００による並列運転において、出力電圧に差異が生じていない状態を示した模式図である。
【図１２】４つのフォトカプラからの信号の組み合わせのパターンを示した図である。
【図１３】本発明の実施形態に係る電源装置の外観の一例を模式的に示す図である。
【発明を実施するための形態】
【００１７】
以下において、本実施の形態について図面を参照して詳しく説明する。なお、図中同一符号は同一または相当部分を示す。
【００１８】
§１  適用例
まず、図１を用いて、本発明が適用される場面の一例について説明する。図１は、本実施形態に係る電源装置１００の概略的な構成を示した回路図である。なお、以下の説明において「接続」とは直接的な接続に限定されず、要素を介した間接的な接続も含む。
【００１９】
図１に示されるとおり、電源装置１００は、たとえばスイッチング電源装置である。電源装置１００は、入力部１０と、電源部２０と、出力部３０とを含む。
【００２０】
たとえば入力部１０は、交流電源（たとえば、５０Ｈｚ／６０Ｈｚ、１００Ｖ／２００Ｖの商用電源）１に接続される。入力部１０は、入力端子１４，１５と、入力端子１４に接続されたフューズ１１とを含む。フューズ１１は、本実施の形態における保護回路の一例である。
【００２１】
電源部２０は、入力部１０を通して入力された電圧から電源電圧を発生させる。一例として、電源部２０は、整流回路２１と、トランス２２と、スイッチング素子としてのＭＯＳＦＥＴ２３と、整流・平滑回路２４とを含む。電源部２０については後に詳細に説明する。
【００２２】
出力部３０は、電源部２０により生成された電源電圧を出力する。出力部３０は、出力端子３２，３３を含む。図１に示された構成では、電源電圧として直流電圧が出力される。直流電圧の出力を表現するため、図１では、出力部３０は仮想的な直流電源２に接続されている。
【００２３】
電源装置１００は、さらに、ＬＥＤ１２、ＬＥＤ１３およびＬＥＤ３１を含む。ＬＥＤ１２は、第１の出力回路の一例であり、第１の出力回路は、入力端子１４とフューズ１１との間に設けられて、入力端子１４に電圧が入力されることにより第１の出力を発生させる。ＬＥＤ１３は、第２の出力回路の一例であり、第２の出力回路は、フューズ１１と電源部２０との間に設けられて、フューズ１１を通して電源部２０に電圧が入力されることにより第２の出力を発生させる。ＬＥＤ３１は、第３の出力回路の一例であり、第３の出力回路は、出力端子３２，３３に接続されて、電源部２０からの出力により第３の出力を発生させる第３の出力回路である。図１に示された例では「第１の出力」、「第２の出力」および「第３の出力」はいずれも光出力である。
【００２４】
なお、図１に示す例では、ＬＥＤ１２，１３の各々に、抵抗およびダイオードが直列に接続されている。また、ＬＥＤ３１に抵抗が直列に接続されている。しかし、このような構成に限定されない。ＬＥＤ１２は、入力部１０に交流電力が入力されている場合に点灯する。ＬＥＤ１３は、フューズ１１が正常である場合に点灯する。ＬＥＤ３１は、出力部３０から直流電力が出力されている場合に点灯する。
【００２５】
ＬＥＤ１２，１３が省略され、ＬＥＤ３１のみ電源装置１００に設けられていると仮定する。ＬＥＤ３１が消灯した場合には、交流が入力されていないのか、あるいはフューズ１１が切れたのかは、テスターなどの測定器を使用しないと確認することができない。本実施の形態によれば、ＬＥＤ１２、ＬＥＤ１３およびＬＥＤ３１の点灯および消灯の組み合わせによって、電源装置１００の内部状態および入力電圧の状態をユーザが目視により確認することができる。したがって内部の状態を容易に確認可能な電源装置を実現できる。
【００２６】
§２  構成例
図２は、図１に示した電源装置１００の一構成例を示したブロック図である。入力端子１４，１５（ＩＮＰＵＴ）には、交流電圧が入力される。入力端子１６は、アース用端子である。
【００２７】
電源部２０は、図１に示した要素に加えて、突入電流制限回路２５と、ノイズフィルタ２６と、平滑回路２７と、ドライブ制御回路２８と、過電流検出回路２９と、電圧検出回路４１と、過電圧検出回路４２と、フォトカプラ４３と、フォトカプラ４４と、コンデンサ４５，４６とを含む。
【００２８】
突入電流制限回路２５は、例えば、抵抗と、この抵抗に並列に挿入されたリレーとから構成され、起動時から数十ミリ秒の間、リレーが開いて突入電流を防止し、その後に、リレーが閉じて電源を起動することができる。
【００２９】
ノイズフィルタ２６は、ＩＮＰＵＴに入力された交流電圧に重畳した高周波のノイズ成分に対してフィルタリングを施し、ノイズ成分を除去した交流電圧を整流回路２１に供給する。平滑回路２７は、平滑コンデンサで構成され、全波整流後の電圧を平滑化する。
【００３０】
トランス２２は、一次巻線２２ｐ、二次巻線２２ｓおよび補助巻線２２ａを備え、一次巻線２２ｐに発生した高周波のパルス電圧を、二次巻線２２ｓおよび補助巻線２２ａに誘導する。二次巻線２２ｓに誘導された高周波のパルス電圧は、直流出力に利用され、補助巻線２２ａに誘導された高周波のパルス電圧は、ドライブ制御回路２８の起動に利用される。
【００３１】
整流・平滑回路２４は、ダイオードの半波整流回路および平滑コンデンサで構成され、トランス２２の二次巻線２２ｓに誘導された高周波のパルス電源（交流電源）を半波整流した後に平滑して規定の出力電圧および出力電流を有する直流出力電源を発生させる。
【００３２】
電圧検出回路４１は、直流出力電源の出力電圧を、対応した降圧電圧で検出する。フォトカプラ４３は、検出された降圧電圧に応じた信号をドライブ制御回路２８に出力する。過電圧検出回路４２は、直流出力電源の出力電圧が、規定の電圧を超える場合に、過電圧を検出する。フォトカプラ４４は、過電圧の検出を示す信号をドライブ制御回路２８に出力する。
【００３３】
ドライブ制御回路２８は、ＰＷＭ（Pulse Width Modulation）信号発生器、フィードバック制御回路、ＯＣＰ（Over Current Protect）端子、スイッチング駆動端子、駆動電源端子などを備えた制御ＩＣで構成される。ドライブ制御回路２８は、ＰＷＭ信号をＭＯＳＦＥＴ２３のゲートに供給してＭＯＳＦＥＴ２３を駆動する。
【００３４】
電圧検出回路４１で検出された二次側の電圧は、フォトカプラ４３を介して、ドライブ制御回路２８に帰還される。ドライブ制御回路２８は、当該電圧に基づいてＰＷＭ信号のデューティ比を変更し、出力電圧である電源電圧が規定の電圧となるようにＭＯＳＦＥＴ２３を駆動する。
【００３５】
ＭＯＳＦＥＴ２３は、トランス２２の一次巻線２２ｐと直列に接続される。ＭＯＳＦＥＴ２３は、ドライブ制御回路２８から供給されたＰＷＭ信号に応答して一次側電圧を断続して、トランス２２の一次巻線２２ｐに高周波のパルス電源を発生させる。電源部２０で発生した電源電圧は、出力端子３２，３３（ＤＣ  ＯＵＴＰＵＴ）から出力される。
【００３６】
図３は、一実施形態に係る、ＬＥＤの点灯パターンを示した図である。図３に表記した「入力１」、「入力２」、「出力１」は、それぞれＬＥＤ１２、ＬＥＤ１３、ＬＥＤ３１を表している。
【００３７】
図３には、全ての点灯パターンを記載している点に留意されたい。図３に示されるように、ＬＥＤ１２，１３，３１の各々が点灯または消灯の２つの状態を有するので、全体として２×２×２＝８通りのパターンが存在する。各ＬＥＤは、電圧の入力があれば点灯し、電圧が入力されていないときに消灯する。
【００３８】
パターン１は、入力１、入力２、出力１のすべてが点灯するパターンであり、電源装置１００が正常に動作していることを表す。電源装置１００の状態は正常状態である。
【００３９】
パターン２は、入力１、入力２が点灯、出力１が消灯のパターンであり、電源部２０の二次側に異常（たとえば出力側の短絡、二次側の破損等が考えられる）があることを表す。
【００４０】
パターン３は、入力１および出力１が点灯し、入力２が消灯するパターンであるが、このようなパターンに対応する電源装置１００の内部状態は存在しない。
【００４１】
パターン４は、入力１が点灯し、入力２および出力１が消灯するパターンである。パターン４は、たとえばフューズ１１の溶断、電源部２０の一次側の破損等の異常があることを表す。
【００４２】
パターン５は、入力１が消灯し、入力２および出力１が点灯するパターンである。パターン５は、電源装置１００の保持時間中の状態を表す。実際にはその状態は発生しない可能性がある。
【００４３】
パターン６は、入力１および出力１が消灯し、入力２が点灯するパターンであるが、このようなパターンに対応する電源装置１００の内部状態は存在しない。
【００４４】
パターン７は、入力１および入力２が消灯し、出力１が点灯するパターンである。たとえば電源装置１００の外部から電圧が印加された場合に、このような状態が発生し得る。
【００４５】
パターン８は、入力１、入力２、出力１のすべてが消灯するパターンであり、入力電圧が無いことを表す。
【００４６】
入力１の点灯／消灯を切換えるための電圧に、ある閾値が存在してもよい。すなわち入力電圧が閾値を上回ると入力１が点灯し、閾値以下の入力電圧では入力１は消灯する。このような条件に従うＬＥＤの点灯パターンと、電源装置１００の内部状態との対応関係について、図４を用いて説明する。
【００４７】
図４は、入力１の点灯の条件が閾値を有する場合の、ＬＥＤの点灯パターンを示した図である。図４に示されるように、パターン５およびパターン６の各々に対応する電源装置１００の内部状態が図３に示した例と相違する。具体的には、パターン５（入力１が消灯し、入力２および出力１が点灯）は、電源装置１００の保持時間中の状態、あるいは入力電圧の低下を示すパターンである。パターン６（入力１および出力１が消灯し、入力２が点灯）は、入力電圧が低下し、動作停止電圧以下になった状態を示すパターンである。
【００４８】
同様に、入力２の点灯／消灯を切換えるための電圧に、ある閾値が存在してもよい。すなわち入力電圧が閾値を上回ると入力２が点灯し、閾値以下の入力電圧では入力２は消灯する。このような条件に従うＬＥＤの点灯パターンと、電源装置１００の内部状態との対応関係について、図５を用いて説明する。
【００４９】
図５は、入力２の点灯の条件が閾値を有する場合の、ＬＥＤの点灯パターンを示した図である。図５に示されるように、パターン３に対応する電源装置１００の内部状態が図４に示した例と相違する。図５に示した例では、パターン３（入力１、出力１が消灯し、入力２が消灯）は、電源装置１００の入力電圧の低下を示すパターンである。
【００５０】
本実施の形態に係る電源装置１００の構成は、上記のように限定されるものではない。図６は、本実施の形態に係る電源装置１００の別の構成例を示した図である。図６に示すように、入力部１０に、入力コンデンサ１７を追加してもよい。入力コンデンサ１７は、入力端子とＬＥＤ１２との間に接続される。これにより、入力部１０に直流が入力されているか交流が入力されているかの確認が可能となる。図６に示した電源装置１００の残りの部分の構成は、図２に示した対応する部分の構成と同じである。
【００５１】
また、電源装置１００を複数台準備して、並列運転を行うことができる。本実施の形態によれば、複数の電源装置１００の各々が、動作および停止のどちらであるかを確認することができる。このための構成について以下に説明する。
【００５２】
図７は、本実施の形態に係る電源装置１００のさらに別の構成例を示した回路図である。図８は、図７に示した電源装置１００の一構成例を示したブロック図である。図７および図８に示されるように、電源装置１００は、トランス２２の補助巻線２２ａに接続されたＬＥＤ５１を含む。ＬＥＤ５１は、本実施の形態における「第４の表示回路」の一例である。
【００５３】
図９は、複数の電源装置１００による並列運転を模式的に示した模式図である。たとえば２台の電源装置１００Ａ，１００Ｂが負荷５に並列に接続されているとする。この場合、電源装置１００Ａ，１００Ｂの間で出力電圧の差異が無いように、電源装置１００Ａ，１００Ｂの各々の出力電圧を設定する必要がある。
【００５４】
図１０は、複数の電源装置１００による並列運転において、出力電圧に差異が生じた状態を示した模式図である。電源装置１００Ａ，１００Ｂの間で出力電圧に差異が生じた場合には、負荷５への出力は、電圧の高いほうの電源装置からとなる。たとえば電源装置１００Ａ，１００Ｂがともに２４０Ｗ電源であるが、電源装置１００Ａの出力電圧が２５Ｖであるのに対して、電源装置１００Ｂの出力電圧が２４Ｖであるとする。この場合、負荷５に対して電源装置１００Ａのみから電流（たとえば１５Ａ）が供給される。一方、電源装置１００Ｂのスイッチング動作は停止した状態になる。電源装置１００ＡのＬＥＤ５１Ａは点灯する。一方、電源装置１００ＢのＬＥＤ５１Ｂは消灯する。したがって電源装置１００Ｂが動作していないことを把握することができる。
【００５５】
図１１は、複数の電源装置１００による並列運転において、出力電圧に差異が生じていない状態を示した模式図である。電源装置１００Ａ，１００Ｂの間で出力電圧に差異が生じないように、電源装置１００Ａ，１００Ｂの各々の出力電圧が設定される。電源装置１００Ａ，１００Ｂの出力が均等を保ちながら電源装置１００Ａ，１００Ｂの各々は電圧を出力できる。電源装置１００ＡのＬＥＤ５１Ａおよび電源装置１００ＢのＬＥＤ５１Ｂの両方が点灯するので、電源装置１００Ａ，１００Ｂの両方が動作していることを把握することができる。
【００５６】
なお、図７および図８に示した回路構成において、ＬＥＤ１２、ＬＥＤ１３、ＬＥＤ３１およびＬＥＤ５１の各々をフォトカプラに置き換えてもよい。各々のフォトカプラは、本発明における「出力回路」に相当する。各フォトカプラが出力する信号が「第１の出力」、「第２の出力」、「第３の出力」および「第４の出力」に相当する。これらの信号を電源装置１００の制御回路（たとえばＣＰＵ）に伝達することができる。４つのフォトカプラからの信号の組み合わせによって、電源装置１００にどのような不具合が発生したかを確認することができる。
【００５７】
図１２は、４つのフォトカプラからの信号の組み合わせのパターンを示した図である。図１２に表記した「入力１」、「入力２」、「入力３」、「出力１」は、ＬＥＤ１２、ＬＥＤ１３、ＬＥＤ５１、ＬＥＤ３１にそれぞれ代わるフォトカプラを表す。図１２中の記号「○」はフォトカプラが信号を出力する状態を表す。記号「×」はフォトカプラが信号を出力していない状態を表す。
【００５８】
パターン１は、入力１、入力２、入力３、出力１のすべてのフォトカプラが信号を出力するパターンであり、電源装置１００が正常に動作していることを表す。電源装置１００の内部状態は正常状態である。
【００５９】
パターン２は、入力１、入力２、入力３が信号を出力し、出力１が信号を出力していないパターンであり、電源部２０の二次側に、たとえば出力側の短絡といった異常があることを表す。
【００６０】
パターン３は、入力１、入力２および出力１が信号を出力し、入力３が信号を出力しないパターンである。たとえば電源装置１００の外部から電圧が印加された場合に、このような状態が発生し得る。
【００６１】
パターン４は、入力１および入力２が信号を出力し、入力３および出力１が信号を出力しないパターンである。パターン５は、たとえば過電圧保護などの保護機能が作動した状態を表す。
【００６２】
パターン５は、入力１が信号を出力し、入力２、入力３および出力１が信号を出力しないパターンである。パターン５は、たとえばフューズ１１の溶断、電源部２０の一次側の破損等の異常があることを表す。
【００６３】
パターン６は、入力１および入力２が信号を出力せず、入力３および出力１が信号を出力するパターンである。パターン６は、たとえば電源装置１００に瞬停が生じた可能性があることを表す。
【００６４】
パターン７は、入力１、入力２、入力３および出力１が信号を出力しないパターンである。たとえば電源装置１００の入力電圧がない場合に、このような状態が発生し得る。
【００６５】
パターン８は、上述の組み合わせ以外の信号の組み合わせのパターンである。信号の組み合わせのパターンがパターン８に該当する場合には、電源装置１００に異常状態が発生している。
【００６６】
さらに他の構成として、サージが入力されたかどうかを瞬時保持してもよい。たとえば、入力電圧に比例した基準電圧を生成し、基準電圧が瞬間的にでもある値を上回る場合に電源装置をラッチさせてもよい。この場合のＬＥＤの表示パターンあるいは表示態様は特に限定されない。たとえば、ＬＥＤ（たとえば入力１）の表示色を通常の表示色と異ならせてもよい。同様に、電源装置１００は、瞬停を検知する機能を有してもよい。この場合、基準電圧が瞬間的にでもある値を下回る場合に、電源装置をラッチさせるとともにＬＥＤ（たとえば入力１）の表示色を通常の表示色と異ならせてもよい。
【００６７】
図１３は、本発明の実施形態に係る電源装置の外観の一例を模式的に示す図である。図１３に示すように、電源装置１００では、ＩＮＰＵＴの端子、ＤＣ−ＯＵＴＰＵＴの端子を設けた面に、表示回路６１ａ〜６１ｆ、スイッチ６２および通信回路６３が設けられている。
【００６８】
表示回路６１ａは、たとえば７セグメントＬＥＤで構成される。表示回路６１ａは、ＬＣＤや有機ＥＬディスプレイなどであってもよい。上述のように、「入力１」、「入力２」、「入力３」、「出力１」にそれぞれ相当する第１から第４の出力回路をフォトカプラで構成する場合には、７セグメントＬＥＤは、ＣＰＵによる制御によって、第１の出力、第２の出力、および第３の出力に基づいて、電源装置１００の状態に関する情報を表示する表示回路を実現できる。なお、図１および図２に示した構成に基づき、表示回路６１ａは、「入力１」、「入力２」、「出力１」にそれぞれ相当する第１から第３の出力回路からの出力（第１の出力、第２の出力および第３の出力）に基づいて電源装置１００の状態に関する情報を表示してもよい。
【００６９】
表示回路６１ｂは、表示回路６１ａの横側に並ぶＬＥＤランプで構成される。ＬＥＤランプの数は特に限定されない。たとえば２つのＬＥＤランプが、ＬＥＤ１２（入力１）、ＬＥＤ１３（入力２）にそれぞれ対応してもよい。あるいは、３つのＬＥＤランプが、ＬＥＤ１２（入力１）、ＬＥＤ１３（入力２）およびＬＥＤ５１（入力３）にそれぞれ対応してもよい。表示回路６１ｃは、表示回路６１ｂの下側に位置するＬＥＤランプで構成され、当該ＬＥＤランプが点灯することで電源装置１００から直流電圧が出力されていることを示している。表示回路６１ｃは、ＬＥＤ３１（出力１）に対応してもよい。
【００７０】
表示回路６１ｄは、表示回路６１ｃの下側に位置するＬＥＤランプで構成され、当該ＬＥＤランプが点灯することで電源装置１００に異常が発生していることを示してもよい。
【００７１】
表示回路６１ｅおよび表示回路６１ｆは、通信回路６３の横側に並ぶ２つＬＥＤランプで構成され、当該ＬＥＤランプが点灯することで通信回路６３での通信状況を示す。
【００７２】
［作用・効果］
以上のように、本実施形態では、少なくとも３つの出力回路からの出力の組み合わせによって、電源装置１００の内部状態および入力電圧の状態をユーザが目視により確認することができる。
【００７３】
［付記］
以上のように、本実施形態は以下のような開示を含む。
【００７４】
１．  電源装置（１００）であって、入力端子（１４）と、前記入力端子（１４）に接続された保護回路（１１）とを含む入力部（１０）と、
前記入力部（１０）を通して入力された電圧から電源電圧を発生させる電源部（２０）と、
前記電源電圧を出力する出力端子（３２）を含む出力部（３０）と、
前記入力端子（１４）と前記保護回路（１１）との間に設けられて、前記入力端子（１４）に電圧が入力されることにより第１の出力を発生させる第１の出力回路（１２）と、
前記保護回路（１１）と前記電源部（２０）との間に設けられて、前記保護回路（１１）を通して前記電源部（２０）に電圧が入力されることにより第２の出力を発生させる第２の出力回路（１３）と、
前記出力端子（３２）に接続されて、前記電源部（２０）からの出力により第３の出力を発生させる第３の出力回路（３１）とを備える、電源装置（１００）。
【００７５】
２．  前記第１の出力回路（１２）、前記第２の出力回路（１３）および前記第３の出力回路（３１）は、発光回路であり、前記第１の出力、前記第２の出力、および前記第３の出力は、光出力である、１．に記載の電源装置（１００）。
【００７６】
３．  前記電源部（２０）は、
一次巻線（２２ｐ）、補助巻線（２２ａ）および二次巻線（２２ｓ）を有するトランスと、
前記トランスの前記一次巻線（２２ｐ）に接続されるスイッチング素子（２３）と、
前記トランスの前記補助巻線（２２ａ）に生じる電圧を受けて前記スイッチング素子（２３）を駆動するドライブ制御回路（２８）とを含み、
前記電源装置（１００）は、前記補助巻線（２２ａ）に生じる前記電圧が正常か否かを示す第４の信号を出力する第４の出力回路（３１）をさらに備える、１．または２．に記載の電源装置（１００）。
【００７７】
４．  前記第４の出力回路（３１）は、発光回路であり、前記第４の出力は、光出力である、３．に記載の電源装置（１００）。
【００７８】
５．  少なくとも前記第１の出力、前記第２の出力、および前記第３の出力に基づいて、前記電源装置（１００）の状態に関する情報を表示する表示回路をさらに備える、１．に記載の電源装置（１００）。
【００７９】
本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【符号の説明】
【００８０】
２  直流電源、５  負荷、１０  入力部、１１  フューズ、１４，１５，１６  入力端子、１７  入力コンデンサ、２０  電源部、２１  整流回路、２２  トランス、２２ａ  補助巻線、２２ｐ  一次巻線、２２ｓ  二次巻線、２３  ＭＯＳＦＥＴ、２４  整流・平滑回路、２５  突入電流制限回路、２６  ノイズフィルタ、２８  ドライブ制御回路、２９  過電流検出回路、３０  出力部、３２，３３  出力端子、４１  電圧検出回路、４２  過電圧検出回路、４３，４４  フォトカプラ、４５，４６  コンデンサ、６１ａ〜６１ｆ  表示回路、６２  スイッチ、６３  通信回路、１００，１００Ａ，１００Ｂ  電源装置。
【図１】
2019103299.tif 000003
【図２】
2019103299.tif 000004
【図３】
2019103299.tif 000005
【図４】
2019103299.tif 000006
【図５】
2019103299.tif 000007
【図６】
2019103299.tif 000008
【図７】
2019103299.tif 000009
【図８】
2019103299.tif 000010
【図９】
2019103299.tif 000011
【図１０】
2019103299.tif 000012
【図１１】
2019103299.tif 000013
【図１２】
2019103299.tif 000014
【図１３】
2019103299.tif 000015